(57)【要約】【課題】      ケ−スの中に収納したり、取り出す時に、必要とする物以外が外れてケ−スの中から外に落ち難く、必要とする物が取り出し易い釣り用ルア−ケ−スを提供することである。【解決手段】  ルア−ケ−ス本体１は矩形の平面１ａと細長い側面１ｂと矩形の平面１ｃとで構成され、矩形の平面１ａと矩形の平面１ｃには夫々２つの小窓１ｄ、１ｅ、１ｆ、１ｇが穿設されて小窓の外側には小窓の周囲より大きい皮革や合成樹脂からなる小蓋２、３、４、５の夫々一側面が、ルア−ケ−ス本体１の矩形の平面１ａ側ではヒンジ部２ａ、３ａで固定され、ルア−ケ−ス本体１の矩形の平面１ｃ側ではヒンジ部４ａ、５ａで固定されている。  小蓋２、３、４、５の内面側に台部からなるルア−掛け部材７ａが設けられている。【選択図】        図３
2008271854.tif 000002
【特許請求の範囲】
【請求項１】
ルア−ケ−ス本体に小蓋で閉塞可能な小窓を設け、小蓋の内側にルア−掛け部材を設けたことを特徴とする釣り用ルア−ケ−ス。
【請求項２】
ルア−ケ−ス本体に設けた小蓋の閉じた対向側にルア−掛け部材を設けたことを特徴とする請求項１記載の釣り用ルア−ケ−ス。
【発明の詳細な説明】
【技術分野】
【０００１】
本発明は、収納したルアーを取り出しやすく改良した釣り用ルア−ケ−スに関する。
【背景技術】
【０００２】
従来針を疑似餌（ルアー）を収納するケ−スは特許文献１のように、ケ−スの壁面や支持プレ−トに鉤掛け部（スポンジ片）と保護シ−トを固定し、この鉤掛け部に針を引っかけるように差し込んでいた。
疑似餌の針を鉤掛け部に取り付ける時や取り外す時はケ−スを開いて作業することになるので、必要とする物以外が外れてケ−スの中から外に落ち易い欠点がある。
特許文献２のように、タックルボックスの蓋部の隅に小さな蓋が設けられているが、小さな蓋はタックルボックスの中から釣り用具を取り出すために設けられている。
【特許文献１】特開平１１−１６９０４３号公報
【特許文献２】特開２００３−８８２８４号公報
【発明の開示】
【発明が解決しようとする課題】
【０００３】
解決しようとする問題点は、ケ−スを開いて作業する時に、必要とする物以外が外れてケ−スの中から外に落ち易い欠点がある。
ことである。
【０００４】
本発明の目的は前記欠点に鑑み、ケ−スの中に収納したり、取り出す時に、必要とする物以外が外れてケ−スの中から外に落ち難く、必要とする物が取り出し易い釣り用ルア−ケ−スを提供することである。
【課題を解決するための手段】
【０００５】
本発明の請求項１は、ルア−ケ−ス本体に小蓋で閉塞可能な小窓を設け、小蓋の内側にルア−掛け部材を設けたことを要旨とするものである。
本発明の請求項２は、ルア−ケ−ス本体に設けた小蓋の閉じた対向側にルア−掛け部材を設けたことを要旨とするものである。
【発明の効果】
【０００６】
本発明により、小蓋の内側にルア−掛け部材が設けられていると、ケ−スの中に収納したり、取り出す時に、必要とする物以外が外れてケ−スの中から外に落ち難く、必要とする物が取り出し易い。
小蓋の閉じた対向側に仕切り板の両側のルア−掛け部材が配置されていると、小蓋を開けて小窓を通して掛け止めすることが出来る。
【発明を実施するための最良の形態】
【０００７】
ルア−ケ−ス本体１はケ−ス本体一側部（上側部）１Ｉとケ−ス本体他側部（下側部）１Ｔとで構成され、その矩形の平面１ａと矩形の平面１ｃには夫々２つの小窓１ｄ、１ｅ、１ｆ、１ｇが穿設されて小窓１ｄ、１ｅ、１ｆ、１ｇの外側には小窓の周囲より大きい皮革や合成樹脂からなる小蓋２、３、４、５の夫々一側面が、ルア−ケ−ス本体１の矩形の平面１ａ側ではヒンジ部２ａ、３ａで固定され、ルア−ケ−ス本体１の矩形の平面１ｃ側ではヒンジ部４ａ、５ａで固定されている。
小蓋２、３、４、５の内面側に台部からなるルア−掛け部材７ａが設けられている。
【実施例１】
【０００８】
以下、図示の一実施例によって本発明を説明すると、図１は釣り用ルア−ケ−スが閉じられた斜視図、図２は釣り用ルア−ケ−スが見開き状に開かれた平面図、図３は釣り用ルア−ケ−スの内部を示す断面側面図と一部拡大断面側面図、図４は釣り用ルア−ケ−スが閉じられた状態で小蓋が開かれた斜視図である。
【０００９】
釣り用ルア−ケ−スは、周面部１′に設けた主開口部Ｋを見開き状に開閉して収納部Ａ（ケ−ス内部）を露呈させるようになっており、二つ折り可能な皮革や合成樹脂のルア−ケ−ス本体１の周囲は縁取り１０され、縁取り１０の内側にルア−ケ−ス本体１を周面部１′の一側をヒンジ部Ｈとして二つ折りにした主開口部Ｋを閉じるファスナ−１１が取り付けられている。
ルア−ケ−ス本体１は図１から図３で矩形の平面１ａを有するケ−ス本体一側部（上側部）１Ｉと矩形の平面１ｃを有するケ−ス本体他側部（下側部）１Ｔとで構成されている。
ケ−ス本体一側部（上側部）１Ｉの矩形の平面１ａとケ−ス本体他側部（下側部）１Ｔの矩形の平面１ｃには夫々２つの小窓１ｄ、１ｅ、１ｆ、１ｇが穿設されている。
小窓１ｄ、１ｅ、１ｆ、１ｇの外側には小窓の周囲より大きい皮革や合成樹脂からなる小蓋２、３、４、５の夫々一側面が、ルア−ケ−ス本体１の矩形の平面１ａ側ではヒンジ部２ａ、３ａで開閉可能に取り付けられ、ルア−ケ−ス本体１の矩形の平面１ｃ側ではヒンジ部４ａ、５ａで開閉可能に取り付けられている。
図１、図３では小蓋２と小蓋３はヒンジ部２ａ、３ａを外周側にして矩形の平面１ａ上に対向するように配置されている。
小蓋４と小蓋５はヒンジ部４ａ、５ａを外周側にして矩形の平面１ｃ上に対向するように配置されている。
小蓋２、３は、ヒンジ部２ａ、３ａを除く他の３面の周面とルア−ケ−ス本体１の矩形の平面１ａの小窓１ｄ、１ｅの前記３面に対向する周面には互いに接合し、小蓋２、３の閉塞状態が維持できるように夫々ファスナ−１３が取り付けられている。
小蓋４、５は、ヒンジ部４ａ、５ａを除く他の３面の周面とルア−ケ−ス本体１の矩形の平面１ｃの小窓１ｆ、１ｇの前記３面に対向する周面には互いに接合し、小蓋４、５の閉塞状態が維持できるように夫々ファスナ−１３が取り付けられている。
【００１０】
小蓋２、３、４、５の内面側に発泡合成樹脂や発泡ゴムなどの多孔質材からなる柔軟性を有する中子６が貼着固定され、中子６を覆って柔軟性を有するシ−ト７が敷設され膨出状態となって台部からなるルア−掛け部材７ａとなり、他の部分はルア−掛け部材７ａより低い底面７ｂとなっている。
小蓋２、３、４、５の台部からなるルア−掛け部材７ａは２段に構成されて疑似餌（ルア−）８に取り付けられた針９がルア−掛け部材７ａに掛け止めされ疑似餌８が係止されルア−ケ−ス本体内に収納可能となっている。
小蓋２、３、４、５の内面側の疑似餌８の位置に帯状のカバ−体１４が設けられている。
小蓋３の内面側に多孔質材からなる柔軟性を有する中子６′が貼着固定され、中子６′を覆って柔軟性を有するシ−ト７′が敷設されて貼着固定されると共に、中子６′の外側のシ−ト７′の部分は膨出状態となって台部からなるルア−掛け部材７ｃとなり、他の部分はルア−掛け部材７ｃより低い底面７ｄとなっている。
小蓋３の台部からなるルア−掛け部材７ｃは１段に構成されて大型の疑似餌８′が取り付けられた針９′がルア−掛け部材７ｃに掛け止めされている。
小蓋３の内面側の疑似餌８′の位置に帯状のカバ−体１４が設けられている。
【００１１】
ルア−ケ−ス本体１の中の収納部Ａ内で細長い側面１ｂの内面側には仕切り板１５の一側が固定されて仕切り板１５は小蓋２、３、４、５の閉じた対向側に配置されている。
仕切り板１５の両面には多孔質材からなる柔軟性を有する中子６′が貼着固定され、中子６′を覆って柔軟性を有するシ−ト７′が敷設されて貼着固定されている。
中子６′の外側のシ−ト７′の部分は膨出状態となって台部からなるルア−掛け部材７ｃとなり、他の部分はルア−掛け部材７ｃより低い底面７ｄとなる。
仕切り板１５の両側の台部からなるルア−掛け部材７ｃは小蓋２、３、４、５の閉じた対向側に配置されている。
多孔質材からなる柔軟性を有する中子６、６′はゴムや合成樹脂の発泡材やスポンジ材等が使用されて針の先を差し込むことが可能である。
柔軟性を有するシ−ト７、７′は合成樹脂繊維の織布等が使用されて針の先を差し込むことが可能である。
【００１２】
釣り用ルア−ケ−スの小蓋２、３、４、５の内面側の台部からなるルア−掛け部材７ａ、７ｃに疑似餌８、８′に取り付けられた針９、９′が掛け止めされる時は夫々小蓋２、３、４、５を開けて図４の状態で掛け止めされるか、図２のように見開き状に開いて掛け止めされる。
収納部Ａ内の仕切り板１５の両側の台部からなるルア−掛け部材７ｃに疑似餌８′に取り付けられた針９′が掛け止めされる時は図２のようにファスナ−１１の係合を解除して主開口部Ｋを開け、ルア−ケ−ス本体１の、ケ−ス本体一側部１Ｉとケ−ス本体他側部１Ｔを見開き状に開いて掛け止めされる。
また、小蓋２、３、４、５を開けてそれぞれ小窓１ｄ、１ｅ、１ｆ、１ｇを通して掛け止めしてもよい。
釣場で疑似餌８、８′が取り付けられた針９、９′がルア−掛け部材７ａ、７ｃから外される時は、主開口部Ｋを開くか又は、所望の疑似餌８、８′が取り付けられた針９、９′が掛け止めされた上記それぞれの小蓋を開けて取り出される。
収納部Ａ内の仕切り板１５の両側の台部からなるルア−掛け部材７ｃに掛け止めされた疑似餌８′が取り付けられた針９′が取り出される時は、図２のように見開き状に開いて取り出してもよいし、図４のように小蓋を開けると仕切り板１５の両側の台部からなるルア−掛け部材７ｃが見えるので何れかの小蓋を開けて小窓を通して取り出してもよい。
それぞれの小蓋２、３、４、５はヒンジ部２ａ、３ａ、４ａ、５ａを介して反転するように開くため、それぞれの小蓋の内側に掛止した疑似餌８が表側に現われて取り出しやすい。
【００１３】
前記のように釣り用ルア−ケ−スが構成されると、小蓋２、３、４、５の内側にルア−掛け部材７ａ、７ｃが設けられていると、ケ−スの中に収納したり、取り出す時に、必要とする物以外が外れてケ−スの中から外に落ち難く、必要とする物が取り出し易い。
小蓋２、３、４、５の閉じた対向側に仕切り板１５の両側の台部からなるルア−掛け部材７ｃが配置されていると、小蓋２、３、４、５を開けて小窓１ｄ、１ｅ、１ｆ、１ｇを通して掛け止めすることが出来る。
【００１４】
前記説明では、小蓋２、３、４、５は夫々スライドファスナ−１３で開閉されるように述べたが、面ファスナ−等の止着具で閉塞が維持されるように構成してもよい。
前記説明では小蓋２と小蓋３、小蓋４と小蓋５を夫々ヒンジ部が外側で対向するように配置したが、ヒンジ部が内側で対向するように配置したり、ヒンジ部が一側に長手方向で並ぶように配置してもよい。
前記説明の収納部Ａ内の仕切り板１５はなくともよい。
図示の実施例では、釣り用ルア−ケ−スを二つ折り可能な皮革や合成樹脂のルア−ケ−ス本体１をファスナ−１１で二つ折りにして閉じるように図示したが、矩形の硬質合成樹脂の箱としてもよく、硬質合成樹脂の箱のみや蓋に小窓と小蓋を設けてもよい。
ルア−ケ−ス本体１はケ−ス本体一側部（上側部）１Ｉを蓋体として、ケ−ス本体他側部（下側部）１Ｔをケ−ス本体として収納部Ａを深く形成するなど多くのルア−が収納出来るように形成してもよい。
【産業上の利用可能性】
【００１５】
本発明は釣り用ルア−ケ−ス全般に利用できる。
【図面の簡単な説明】
【００１６】
【図１】釣り用ルア−ケ−スが閉じられた斜視図である。
【図２】釣り用ルア−ケ−スが見開き状に開かれた平面図である。
【図３】釣り用ルア−ケ−スの内部を示す断面側面図と一部拡大断面側面図である。
【図４】釣り用ルア−ケ−スが閉じられた状態で小蓋が開かれた斜視図である。
【符号の説明】
【００１７】
Ａ  収納部
１  ルア−ケ−ス本体
１ｄ、１ｅ、１ｆ、１ｇ  小窓
２、３、４、５  小蓋
７ａ、７ｃ  ルア−掛け部材
【図１】
2008271854.tif 000003
【図２】
2008271854.tif 000004
【図３】
2008271854.tif 000005
【図４】
2008271854.tif 000006